【事件の表示】
　平成１０年特許願第２６９８３５号「洗濯乾燥機」拒絶査定不服審判事件〔平成１２年　４月　４日出願公開、特開２０００−　９３６９７号〕について、次のとおり審決する。
【結　論】
　本件審判の請求は、成り立たない。
【理　由】
１．手続の経緯
　本願は、平成１０年９月２４日の出願であって、平成１５年９月２９日付けで拒絶査定がなされ、これに対し、平成１５年１１月６日に拒絶査定に対する審判請求がなされるとともに、同年１２月３日付けで手続補正がなされたものである。
　
２．平成１５年１２月３日付けの手続補正についての補正却下の決定
［補正却下の決定の結論］
　平成１５年１２月３日付けの手続補正（以下、「本件補正」という。）を却下する。
　
［理由］
　本件補正により、特許請求の範囲の請求項１は、
「外箱内に弾性支持された水槽
内に温風を供給し、
置を
前記乾燥装置は、前記水槽より排出された排気風から除湿する除湿用熱交換器と、除湿後の冷風を加熱温風化する加熱装置と、両端が水槽に連通し該水槽より排出された排気風を温風として再び水槽内に導入する循環送風路と、この循環送風路内を送風する送風装置とから構成され、前記熱交換器は水槽から排出された排気を中空容器状の器体の下方から導入して上昇させ、この排気中に器体上部から冷却水を注入して冷却し該排気中の水分を凝縮する構成とすると共に、この熱交換器と前記加熱装置との間にリント捕獲装置を配設
し、これらリント捕獲装置、前記送風装置及び加熱装置をすべて水槽側に設けると共に、前記外箱の上面盤を着脱可能と
と補正された。（下線は補正箇所を示す。）
　この補正は、補正前の請求項１（平成１５年２月２６日付けの手続補正により補正された特許請求の範囲の請求項１）に記載した発明を特定するために必要な事項である「水槽内に回転可能に設けられ通水及び通風可能な多数の透孔を有する被洗濯物収容ドラム」を削除するとともに、発明を特定するために必要な事項である「リント捕獲装置、送風装置及び加熱装置」について「これらリント捕獲装置、前記送風装置及び加熱装置をすべて水槽側に設ける」との限定を付加し、「外箱」について「外箱の上面盤を着脱可能とした」との限定を付加したものである。
　ところで、本件補正は、補正前の請求項１に記載した発明特定事項の一部である「ドラム」を削除するものであるから、少なくとも特許請求の範囲の減縮を目的とするものといえないことは明らかである。さらに、本件補正は、請求項の削除、誤記の訂正、拒絶理由通知に係る拒絶の理由に示す事項についてする明りょうでない記載の釈明のいずれを目的とするものにも該当しない。
　よって、本件補正は、特許法第１７条の２第４項の規定に違反してなされたものであり、同法第１５９条第１項の規定において読み替えて準用する同法第５３条第１項の規定により却下すべきものである。
　
３．本願発明について
　本件補正は上記のとおり却下されたので、本願の請求項１に係る発明（以下、同項記載の発明を「本願発明」という。）は、平成１５年２月２６日付け手続補正書の特許請求の範囲の請求項１に記載された事項により特定される、以下のとおりのものである。
「外箱内に弾性支持された水槽と、この水槽内に回転可能に設けられ通水及び通風可能な多数の透孔を有する被洗濯物収容ドラムと、このドラム内の被洗濯物に温風を当てこれを乾燥させる乾燥装置とを備えたものにおいて、前記乾燥装置は、ドラム及び水槽より排出された排気風から除湿する除湿用熱交換器と、除湿後の冷風を加熱温風化する加熱装置と、両端が水槽に連通し該水槽より排出された排気風を温風として再び水槽及びドラム内に導入する循環送風路と、この循環送風路内を送風する送風装置とから構成され、前記熱交換器は水槽から排出された排気を中空容器状の器体の下方から導入して上昇させ、この排気中に器体上部から冷却水を注入して冷却し該排気中の水分を凝縮する構成とすると共に、この熱交換器と前記加熱装置との間にリント捕獲装置を配設したことを特徴とする洗濯乾燥機。」
　
（１）引用例
　原査定の拒絶の理由に引用した、本願の出願前に頒布された刊行物である特開平５−２００１８５号公報（以下、「引用例」という。）には、図面とともに次の事項が記載されている。
　（ａ）「外枠フレームと、この外枠フレーム内に防振支持される本体部と、この本体部を構成する外槽と、この外槽内に回転自在に支承され、底部に撹拌翼を有する内槽と、本体部を垂直姿勢から横姿勢に傾斜させる回動装置と、加熱部及び送風部からなる乾燥ユニットを備え、洗濯から乾燥まで通じて運転できる洗濯乾燥機において、乾燥ユニットを前記外枠フレーム上に固定し、乾燥ユニットと本体部との熱風出入口間をフレキシブルダクトで連結して、温風の循環風路を形成し、前記外槽以外の、外部より着脱可能な位置にリントフィルターを設けたことを特徴とする洗濯乾燥機。」（特許請求の範囲の請求項１）
　（ｂ）「図１は洗濯乾燥機の全体構成を示す。外枠フレーム１内には４本の吊り棒２及び防振バネ３により本体支持フレーム４を懸垂しこの支持フレーム４に本体部５が回動軸６を中心に回動自在に軸受支持される。本体部５は、洗濯兼脱水槽の役目をなし、底部に撹拌翼７及び内側面に多数の脱水穴８と複数本のリフター９及び口部に流体バランサー１０を持った内槽１１、及び内包する外槽１２、外槽１２の底部には内槽１１または回転翼７を回転自在に軸支持し、これらを洗濯脱水用モータ１４により選択的に駆動するクラッチ機構部１５が固定されている。外槽１２の上面は内蓋１７により密閉され、上蓋１６には布の投入口が設けられ内蓋１７により開閉自在に設置されている。外槽１２の最低部には排水弁装置１８が設けられており、可撓性の排水ホース１９により外枠ベース２０の中継部２１を経て機外へ放水される。ここで排水ホース１９は本体部５の回動動作に支障のないよう充分な長さの余裕が与えられている。」（段落【０００９】）
　（ｃ）「図２は本体部５が垂直姿勢にあるところを示す斜視図で、乾燥ユニット３２が、本体部５が回動軸６を中心として回動して倒れる方向と反対側の外枠フレーム１の上に固定されている。この乾燥ユニット３２は図３に示すように、外枠ベース２０上に防振支持されたファンモータ３３により、ベルト３４を介して駆動されるファン３５とこれを内包するファンケーシング３６及びファンケーシング３６の吐出口３７に設けられた半導体ヒータ所謂正特性サーミスタの応用であるＰＴＣヒータ３８を内包するヒータケース３９及びファンケーシング３６の吸込口の前に設けられた着脱自在のリントフィルター４０ａ及びリントフィルターケース４０ｂ等から成っている。図３はリントフィルター４０ａを外した状態を示している。」（段落【００１４】）
　（ｄ）「外槽１２の底部に設けた温風出口４１を装着したダクト４３を設け、その上部出口とファンケーシング吸込口４４との間をフレキシブルダクト４５で接続している。ノズル４２は凝縮水ホース３１に接続され、電磁弁２３が動作し給水されたとき、ダクト４３内に噴霧状に放出するようになっている。」（段落【００１５】）
　（ｅ）「一方、外槽１２の上蓋１６には温風入口４６が設けられ、ヒータケース３９の温風出口４７との間にフレキシブルダクト４８により接続されている。ここで、フレキシブルダクト４５と４８は、図１に示す垂直姿勢において途中がほぼＵ字状に垂れ下げて、脱水中の振動が乾燥ユニット３２に伝わらないようにするとともに、図３に示すように回動して水平姿勢に移るとき、軽快に屈曲して追従し得るようにするとともに、水平姿勢にて内部にたまった水が本体部５に流出するように構成されている。」（段落【００１６】）
　（ｆ）「以上の構成になる本発明の動作について説明する。図１、図２に示すように、本体部５が直立姿勢において通常の洗濯から脱水までの行程を行う。まず、内蓋１７を開いて衣類を内槽１１に投入し、内蓋１７を閉じ給水弁２３を開いて水道水を給水装置２４を経て外槽１２の上蓋１６上に設けられた受水口２５より内槽１１に給水する。規定水位に達したとき、洗濯脱水モータ１３及びクラッチ機構１５の働きで、撹拌翼７を回転し洗濯及びすすぎを行う。次に排水弁装置１８を開いて内槽１１の洗濯水又はすすぎ水を排水ホース１９を経て機外へ排出する。次にクラッチ機構１５の動作を切り替えて、内槽１１で撹拌翼７を同時に回転し、脱水を行う。この時、本体部１２全体が激しく振動するが、乾燥ユニット３２には伝わらない。脱水が終了後、回動モータ２６を駆動し、回動クランク２７、回動レバー３０を介して本体部５全体を回動し、図３に示すようにほぼ水平姿勢になるまで倒す。この時、フレキシブルダクト４５と４８はＵ字状に曲がっていた部分が伸ばされる形に変形し、軽快に抵抗なく追従する。ここで、本体部５は乾燥用モータ１４とクラッチ機構１５の働きで、内槽１１と撹拌翼７を毎分５０〜７０回の速度でゆっくりと回転しながら、ファンモータ３３を回転してファン３５をまわして、本体部５内の湿った温風を温風出口４１、ダクト４３、フレキシブルダクト４５を経て、ファンケーシング吸込口４４に吸い込み、リントフィルター４０ａにてリントを除去したのちファン３５に吸い込む。この途中、外槽１２の底部の温風出口４１を通り、ノズル１１から噴霧状に放出される水により急激に冷却、凝縮され、除湿される。ノズル４２から噴霧状に放出される水と前記凝縮された水は、外槽下部に設けられた排水弁装置１８及び排水ホース１９を経て機外へ排出されるが、一部は細かな水滴となって、循環する風とともにダクト４３及びフレキシブルダクト４５へ達する。フレキシブルダクト４５を通った水滴と循環風は、ファンケーシング吸込口４４の途中流路とは垂直な分離壁４９に曲がり切れずに衝突、風のみが流路に従い流れる。一方水滴は、分離壁４９付着、分離壁４９を伝わり下方に落ち排水口５４及び排水管５５から排水され、気水分離が行われる。また、必要に応じて吸込口４４の直前に分離壁５１を設け、ここでも気水分離を行う。このことにより循環風の風だけがファン３５の直前にあるリントフィルター４０ａや湿度センサー５０及びファン３５等に達する。このため、リントフィルター４０ａは濡れて流路の抵抗とならず乾燥効率阻害することはなく、また湿度センサー５０にも水滴が付かずに正常に動作する。」（段落【００１９】）
　（ｇ）「ファン３５により高圧化された温風はヒータケース３９に流入し、ＰＴＣヒータ３８により加熱され相対湿度の低い乾燥された温風となってヒータケース３９の温風出口４７、フレキシブルダクト４８を経て外槽１２の上蓋１６の温風入口４６に至り、外槽１２内に流入する。このようにして所謂ドラム式乾燥機をまったく同一の原理の効率的な衣類乾燥が行われる。」（段落【００２０】）
　
　これらの記載事項を総合すると、引用例には、
「外枠フレーム１内に弾性支持された外槽１２と、この外槽１２内に回転可能に設けられ通水及び通風可能な多数の脱水穴８を有する内槽１１と、この内槽１１内の被洗濯物に温風を当てこれを乾燥させる乾燥ユニット３２とを備えたものにおいて、前記乾燥ユニット３２は、内槽１１及び外槽１２より排出された湿った温風から除湿するダクト４３と、除湿後の循環風を加熱し相対湿度の低い乾燥した温風とするＰＴＣヒータ３８と、両端が外槽１２に連通し該外槽１２より排出された湿った温風を乾燥した温風として再び外槽１２及び内槽１１内に導入するフレキシブルダクト４５，４８などからなる循環風路と、この循環風路内を送風するファン３５とから構成され、前記ダクト４３は外槽１２から排出された湿った温風を導入して、この湿った温風中に水を注入して冷却し該湿った温風中の水分を凝縮する構成とすると共に、このダクト４３と前記ＰＴＣヒータ３８との間にリントフィルター４０ａを配設した洗濯乾燥機。」の発明（以下、「引用発明」という。）が記載されていると認めることができる。
　
（２）対比
　そこで、本願発明と引用発明とを対比すると、後者における「外枠フレーム１」は、その構造又は機能からみて、前者における「外箱」に相当し、以下同様に、「外槽１２」が「水槽」に、「脱水穴８」が「透孔」に、「内槽１１」が「被洗濯物収容ドラム」に、「乾燥ユニット３２」が「乾燥装置」に、「湿った温風」が「排気風」に、「ダクト４３」が「除湿用熱交換器」に、「除湿後の循環風」が「冷風」に、「加熱し相対湿度の低い乾燥した温風とする」が「加熱温風化する」に、「ＰＴＣヒータ３８」が「加熱装置」に、「外槽１２より排出された湿った温風を乾燥した温風として」が「水槽より排出された排気風を温風として」に、「フレキシブルダクト４５，４８などからなる循環風路」が「循環送風路」に、「ファン３５」が「送風装置」に、「リントフィルター４０ａ」が「リント捕獲装置」に、それぞれ相当する。
　
　してみると、本願発明と引用発明とは、
「外箱内に弾性支持された水槽と、この水槽内に回転可能に設けられ通水及び通風可能な多数の透孔を有する被洗濯物収容ドラムと、このドラム内の被洗濯物に温風を当てこれを乾燥させる乾燥装置とを備えたものにおいて、前記乾燥装置は、ドラム及び水槽より排出された排気風から除湿する除湿用熱交換器と、除湿後の冷風を加熱温風化する加熱装置と、
両端が水槽に連通し該水槽より排出された排気風を温風として再び水槽及びドラム内に導入する循環送風路と、この循環送風路内を送風する送風装置とから構成され、前記熱交換器は水槽から排出された排気を導入して、この排気中に冷却水を注入して冷却し該排気中の水分を凝縮する構成とすると共に、この熱交換器と前記加熱装置との間にリント捕獲装置を配設した洗濯乾燥機。」
の点で一致し、以下の点で相違している。
　相違点：本願発明の熱交換器は、排気を中空容器状の器体の下方から導入して上昇させ、この排気中に器体上部から冷却水を注入する構成であるのに対して、引用発明の熱交換機は、排気を導入して、この排気中に冷却水を注入する構成ではあるものの、その具体的構成が明らかでない点。
　
（３）判断
　上記相違点について検討する。
　本願発明の熱交換器は、排気を中空容器状の器体の下方から導入して上昇させ、この排気中に器体上部から冷却水を注入するように構成したものであって、排気中の水分を凝縮するという機能と、排気中からリントを除去するという機能の二つの機能を同時に果たすものである。
　これに対して、引用発明の熱交換器は、排気中の水分を凝縮するという機能を果たすものの、リントを除去する機能までも有しているかどうかについては明確でない。
　しかしながら、洗濯乾燥機において、排気を中空容器状の器体の下方から導入して上昇させ、この排気中に器体上部から冷却水を注入するように構成した熱交換器を設けることにより、熱交換器において排気中の水分を凝縮するとともに、排気中からリントを除去することは、例えば特開平８−２１５４７１号公報（特に図４及び段落【００３８】の記載を参照）などに見られるように、従来周知であったということができる。
　そうすると、引用発明において、熱交換器であるダクト４３に代えて上記周知の熱交換器を採用するようなことは、当業者が容易に想到できたことであるといえる。
　したがって、相違点に係る本願発明の構成は、当業者が容易に想到し得たものである。
　
　そして、本願発明の効果も、引用発明及び周知技術から当業者が予測できる範囲内のものであって格別なものとはいえない。
　
（４）むすび
　以上のとおり、本願発明は、引用発明及び周知技術に基いて、当業者が容易に発明をすることができたものであるから、特許法第２９条第２項の規定により特許を受けることができない。
　よって、結論のとおり審決する。